(57)【特許請求の範囲】
【請求項１】
フイルムの側縁に形成されたパーフォレーションの像をフイルムの間欠的なコマ送りごとに検査面に順次に投影する投影手段と、検査面に投影されたパーフォレーション像の一辺が横切るように検査面に配置された検査用光電センサと、この検査用光電センサからの出力信号を監視し、フイルムのコマ送りに伴う検査用光電センサからの出力信号の変動を記録する記録手段とからなることを特徴とするフイルムパーフォレーションの検査装置。
【請求項２】
前記検査用光電センサは、パーフォレーション像の前記一辺が横切るように配列された複数のフォトダイオードから構成され、これらのフォトダイオードからの光電信号の平均値又は和が前記出力信号として用いられることを特徴とする請求項１記載のフイルムパーフォレーションの検査装置。
【請求項３】
パーフォレーション像が投影された領域の内外にそれぞれ補助光電センサを設け、これらの補助光電センサからの光電信号に基づいて、前記出力信号の評価基準となる基準信号を得ることを特徴とする請求項１又は２記載のフイルムパーフォレーションの検査装置。
【請求項４】
前記検査用光電センサは、パーフォレーション像の互いに直交する二辺が横切る位置にそれぞれ設けられていることを特徴とする請求項１〜３のいずれか記載のフイルムパーフォレーションの検査装置。
【請求項５】
前記投影手段は、一連につながれたフイルムのつなぎ目に付加された信号片を光電検出して境界信号を出力する境界センサを備え、この境界センサからの境界信号を前記記録手段に入力することを特徴とする請求項１〜４のいずれか記載のフイルムパーフォレーションの検査装置。
【発明の詳細な説明】
【０００１】
【発明の属する技術分野】
本発明は、フイルムに記録された画像をスクリーンに映写して鑑賞する際に画像ゆれの大きな原因となるパーフォレーションの異常を、フイルムの製造段階で的確かつ簡便に検査するための検査装置に関するものである。
【０００２】
【従来の技術】
映画フイルムに記録された画像をスクリーンに投影して鑑賞するには、映写機が使用される。映写機は、映画フイルムの側縁に沿って一定間隔で設けられたパーフォレーションを利用し、画像投影用のアパーチャーに向けて例えば一秒間に２４コマの間欠的なコマ送りを行っている。アパーチャーに順次に移動してくるコマに対し、映写ランプからの照明光がコマ送りに同期して回転するセクタを介して断続的に照明され、各コマの画像は映写レンズにより例えば２００倍程度に拡大してスクリーン上に投影される。
【０００３】
スクリーン上に画像を正しく投影するには、アパーチャーに対する各コマの送り位置を一定に保つ必要がある。コマ送りはパーフォレーションを基準にして行われているため、パーフォレーションの形状やサイズ、さらには映画フイルムの送り方向や幅方向での位置に異常があると各コマの送り位置が変化する。このコマ送り位置の変化はスクリーン上で大きく拡大され、いわゆる像ゆれを生じさせる原因になる。
【０００４】
映写機等で映画フイルムのコマ送り位置精度を高めるために、特開平８−１８４９１０号公報、特開平９−１２７６１１号公報、特開平９−２２２６６６号公報記載の装置が知られている。これらの公報記載の装置は、映画フイルムの走行路上でパーフォレーションやフイルムに記録された専用の識別マークを光学的あるいは電気的に監視し、その監視出力に異常変動が生じたときにコマ送り異常を検出する構造となっている。
【０００５】
【発明が解決しようとする課題】
ところが、上記各公報記載の装置では、フイルム走行路上で映画フイルム自体のコマ送り位置の変動を監視しているため、スクリーン上に拡大して投影される画像のゆれを防ぐことを考慮した場合には、その検出精度をかなり高くしておく必要があり、装置自体のコストが高くなるという欠点があり、保守管理も面倒になることが避けられない。
【０００６】
さらに、パーフォレーションに基づいてコマ送り位置の検査を行う際に、その検査効率を高めるために複数本の映画フイルムを一連につないだとき、つなぎ目の前後でパーフォレーションに幅方向での位置ずれが生じやすい。この位置ずれは、本来、パーフォレーション異常ではないのにもかかわらず異常と検知され、検査が中断して所期の目的を達することができなくなる。
【０００７】
本発明は以上を考慮してなされたもので、スクリーン上での画像ゆれの大きな原因となるパーフォレーション異常を、フイルムの製造段階で簡便かつ正確に検査することができ、さらに複数本のフイルムを一連につないだ状態でも効率的に検査を続行することができるようにしたフイルムパーフォレーションの検査装置を提供することを目的とする。
【０００８】
【課題を解決するための手段】
本発明は上記目的を達成するにあたり、スクリーン上ではパーフォレーション像が数十倍以上に拡大して投影されることに着目し、スクリーン上でパーフォレーションの検査を行う構成をとっている。このため、検査面となるスクリーン上にはパーフォレーション像の少なくとも一辺が横切る位置に検査用の光電センサを配置しておき、パーフォレーション像の前記一辺がゆれ動くことに伴って、光電センサからの出力信号が変動することを利用している。この出力変動を記録手段で記録し、またモニタやプリンタに出力して可視化することによって、パーフォレーション異常の有無を検査することが可能となる。
【０００９】
検査用光電センサとして、前記一辺がそれぞれ横切るように配列された複数個のフォトダイオードを用い、これらのフォトダイオードから得られる光電信号の平均値や和を出力信号とするのが測定精度を高める上で効果的であり、さらにパーフォレーション像の内外に位置するようにそれぞれ補助光電センサを配置し、これらの光電信号に基づいて前記出力信号の評価基準となる基準信号を得ることも有効な手段である。また、検査用光電センサをパーフォレーション像の互いに直交する２辺が横切る位置にそれぞれ設け、パーフォレーション像の横ゆれ及び縦ゆれを同時に検査することも可能である。
【００１０】
複数本の映画フイルムを一連に接続して効率的な検査を行う上では、投影手段に映画フイルムのつなぎ目に付加された信号片を光電検出して境界信号を出力する境界センサを設けておくことにより、この境界信号の前後で出力信号に変動が現れたときには、パーフォレーション自体の異常ではなく、つなぎ目が通過したときのノイズによるものであることが即座に識別できるようになる。
【００１１】
【発明の実施の形態】
図１に本発明のパーフォレーション像の投影手段として用いられる映写機の構造を概略的に示す。供給リール２に巻かれた映画フイルム３は、供給側送り機構４によって投影部５に送られ、また投影部５を通過した映画フイルム３は巻取り側送り機構６によって巻取りリール７に送られる。供給側送り機構４及び巻取り側送り機構６には周知のループ制御機構が設けられ、供給リール２と投影部５との間、投影部５と巻取りリール７との間で映画フイルム３にテンションが加わることがないように映画フイルム３の送り量を制御している。
【００１２】
投影部５にはコマ送りクロー８が設けられ、アパーチャー９で決められた投影位置に映画フイルム３を例えば一秒間に２４コマずつ間欠的にコマ送りする。一般の映写機では、アパーチャー９の開口サイズは映画フイルム３の画像記録範囲に相当するものとなっているが、この映写機ではアパーチャー９が画像記録範囲よりも幅方向に大きく形成され、映画フイルム３の側縁に一定ピッチで設けられたパーフォレーションの像も余裕をもってスクリーン１０に投影することができるようにしてある。
【００１３】
投影部９には、さらに周知の映写ランプ１１，セクタ１２，映写レンズ１３が設けられている。映写ランプ１１は連続的に点灯されるが、コマ送りクロー８に同期して回転するセクタ１２によって、投影位置に送られてきたコマに断続的に照明を与える。照明されたコマの画像及びパーフォレーションの像は、映写レンズ１３によってスクリーン１０上に結像投影される。
【００１４】
供給側送り機構４と投影部５との間に反射型のフォトセンサ１５が設けられている。このフォトセンサ１５は、映画フイルム３を複数本一連に接続するときに用いられる接合テープを光電検出し、そのつなぎ目が移動してきたときに境界信号を出力する。このフォトセンサ１５は、アパーチャー９から一定距離隔てた位置に配置されており、つなぎ目が検出された後、このつなぎ目がアパーチャー９に達するまでに要するコマ送り数は一定となる。なお、境界信号を確実に検出できるようにするために、接合テープには反射率の高いもの、例えばアルミ蒸着テープなどを用いるとよい。
【００１５】
図２に本発明装置で検査面として用いられるスクリーン側の構成を示す。前述した映写機を用いて撮影済みの映画フイルムを映写したときには、画像１１のほかにパーフォレーション像１２が投影される。これらの画像は１秒間２４コマで送られ、いずれも瞬間的にはスクリーン１０上で停止した画像となる。そして、映画フイルム３のパーフォレーションに全く異常がなく、また映写機のコマ送りなどに全く誤差がなければ、これらの像は原理的には常に一定の位置に投影されることになるが、現実にはいずれの像も上下左右にわずかながら揺れ動く。
【００１６】
映写機の機械的誤差が一定の範囲内に収まっているとすれば、映画フイルム３に開けられたパーフォレーションに異常があると画像ゆれが大きくなるため、映画フイルム３の製造段階でパーフォレーションに異常がないかどうかが検査される。この検査のために、映画フイルム３の製造ロットごとに１０〜３０ｍのサンプルを抜き取り、これらを例えば５０サンプル分一連につないで図１に示す映写機にかけるようにしている。
【００１７】
検査対象となる映画フイルム３には撮影が行われていないことから、スクリーン１０上にはパーフォレーション像１２だけが投影される。なお、映画フイルム３には３５ｍｍフイルム，１６ｍｍフイルム，８ｍｍフイルムなどの種類があるが、それぞれの種類ごとに専用の映写機を用いて同様の検査が行われ、例えば３５ｍｍフイルムでは８０倍、１６ｍｍフイルムでは１２０倍の投影倍率でパーフォレーション像１２がスクリーン１０に投影される。
【００１８】
スクリーン１０には、左右のパーフォレーション像１２の基準投影位置に基づいて、センサユニット２０，２１が設けられている。センサユニット２０は、図３に示すように、パーフォレーション像１２の縦辺が横切る位置に設けられた縦辺位置検出用の光電センサ２２と、横辺が横切る位置に設けられた横辺検出用の光電センサ２３と、パーフォレーション像１２の内外にそれぞれ設けられた補助用の光電センサ２４，２５とを備えている。なお、他方のセンサユニット２１も同様の構成であるため、その詳細な説明については省略する。
【００１９】
パーフォレーション像１２の縦辺，横辺検出用の光電センサ２２，２３は、それぞれ同一諸元の５個のフォトダイオードをパーフォレーション像１２の縦辺，横辺を横切るように並べたものとなっている。補助用の光電センサ２４，２５には、前記フォトダイオードと同一諸元のものが一個ずつ用いられている。光電センサ２２，２３の横幅，縦幅は、パーフォレーション像１２のゆれ幅をカバーし得るサイズとなっている。そして、光電センサ２２からの光電信号は、パーフォレーション像１２が横にずれたときに変化し、光電センサ２３からの光電信号はパーフォレーション像１２が縦にずれたときに変化する。なお、それぞれの光電信号は５個のフォトダイオードからの信号の平均値となっており、一個のフォトダイオードを用いる場合よりも信頼性を向上させることができる。
【００２０】
補助用の光電センサ２４は、パーフォレーション像１２にゆれが生じても、常にパーフォレーション像１２の内側にあり、パーフォレーション像１２自体の明るさに応じた光電信号を出力する。他方の光電センサ２５はパーフォレーション像１２の外側にくるように配置され、パーフォレーション像１２の明るさを除くスクリーン１０自体の明るさに応じた光電信号を出力する。これらの光電信号を利用することにより、映写ランプ１１の光量変動や、スクリーン１０に対する環境照明光の光量変動に左右されずにパーフォレーション像１２のゆれ検査を行うことができる。なお、上記フォトダイオードには、例えば浜松フォトニクス社製の「Ｓ２７４４−０８（受光面サイズ；１０ｍｍ×２０ｍｍ）」（商品名）を用いることができる。また、光電センサ２２〜２４としては、フォトトランジスタなどフォトダイオード以外の他のセンサを用いることも可能である。
【００２１】
パーフォレーション像１２が基準位置にあるとき、パーフォレーション像１２の縦辺が光電センサ２２の横幅の中央を横切り、その横辺が光電センサ２３の縦幅の中央を横切るように設定すると、光電センサ２２，２３からの光電信号のレベルは互いに等しくなる。この出力レベルをγとし、補助用の光電センサ２４，２５からの光電信号の出力レベルをα，βとすると、
γ＝（α＋β）／２
となる。
【００２２】
そして、このγを基準レベル値とすると、光電センサ２２からの光電信号レベルが基準レベル値γより大きくなった場合にはパーフォレーション像１２が基準位置よりも右方にずれたことになり、小さくなった場合にはパーフォレーション像１２が基準位置よりも左方にずれたことになる。同様に、光電センサ２３からの光電信号レベルを基準レベル値γと比較することによって、パーフォレーション像１２が基準位置から上又は下にずれたことが分かる。しかも、それぞれの光電信号レベルは、ずれ量に対応した値となっている。このように、基準レベル値γを光電信号レベルの評価基準となる基準信号として利用し、光電センサ２２，２３からの光電信号レベルの変動量に対してパーフォレーション像１２の縦辺，横辺の移動量を実測しておくことによって、光電信号レベルをパーフォレーション像１２のゆれ幅に対応づけることができる。
【００２３】
なお、５個のフォトダイオードからの信号の和を検査用の光電信号として利用することも可能で、この場合には上記γの値を５倍したものを基準レベル値として用いればよい。また、補助用の光電センサ２４，２５にも複数個のダイオードを組み合わせて用いた場合には、その個数に応じた換算を行って基準レベル値を設定すればよい。
【００２４】
図４に本発明装置の全体的なシステム構成をブロック図で示す。図１に示す映写機３０からは、フォトセンサ１５からの境界信号がマイクロコンピュータ（以下、マイコン）３１に入力される。また、センサユニット２０，２１のそれぞれからは、スクリーン１０に投影された左右のパーフォレーション像１２について、各々の縦辺，横辺のゆれ量に応じた光電信号が入力される。なお、センサユニット２０，２１にはそれぞれリモコン受光部２０ａ，２１ａが設けられ、リモコン送信器３３の操作により検査のスタート／ストップを制御させることができる。
【００２５】
マイコン３１には例えばハードディスクドライブ等のストレージデバイス３４及びモニタ３５が接続されている。マイコン３１は、映写機３０及びセンサユニット２０，２１から入力される信号に基づいてデータ処理を行い、コマ送り数と光電信号レベルの変動とを対応づけながら検査データを取り込む。こうして得られた検査データは、ストレージデバイス３４に記録され、またモニタ３５により観察することができる。ストレージデバイス３４はマイコン３１とともに、検査データの記録手段を構成し、またモニタ３５はマイコン３１とともに検査データの表示手段を構成する。なお、記録手段としては、通常の磁気ディスクや他の記録媒体を用いるものであってもよく、表示手段としてもプリンタなどの出力装置を用いることも可能である。
【００２６】
検査に際しては、検査対象となる映画フイルム３を図１に示す映写機３０にかけてパーフォレーション像１２をスクリーン１０上に投影する。適宜の検査タイミングでリモコン送信器３３を操作し、センサユニット２０，２１を動作させる。なお、片側だけにパーフォレーションが形成された映画フイルム３が検査対象であるときには、一方のセンサユニットだけを用いればよい。
【００２７】
センサユニット２０，２１が動作状態になると、マイコン３１には光電センサ２２，２３、補助光電センサ２４，２５から光電信号が入力される。マイコン３１はこれらの光電信号をデータ処理し、映写機からのコマ送り信号とともに光電信号レベルの変動となって現れる検査データをストレージデバイス３４により記録し、またモニタ３５に表示する。
【００２８】
図５に、センサユニット２０からの光電信号による検査データの表示波形を示す。同図（Ａ）は光電センサ２３からの光電信号レベルの波形を示し、パーフォレーション像１２の縦ゆれの様子を表している。また、同図（Ｂ）は光電センサ２２からの光電信号レベルの波形を示し、パーフォレーション像１２の横ゆれの様子を表している。波形図の横軸にはコマ送り数をとり、縦軸には光電信号レベルをゆれ幅に換算した値（ｍｍ）をとっている。
【００２９】
これらの波形図に現れている高周波成分は、主として映写機のコマ送り機構がもつコマ送り誤差を含み、低周波成分は基準レベル値γの変動を含んでいる。パーフォレーションの評価を行うにあたっては、これらの表示波形を観察し、例えば高周波成分の振幅変動幅や、低周波成分の振幅変動幅が規定の範囲内に収まっているか否かで判定することができる。また、検査データはデジタル値として取り込むことができるから、これらの検査データからゆれ幅の最大値や最小値、あるいは相加平均，標準偏差などのデータを求めて統計的な処理を加えることによって、自動的に判定することも可能である。
【００３０】
このような評価を行うに際しては、映画フイルム３が一本だけであれば問題がないが、検査対象となる映画フイルム３につなぎ目があると、図５（Ａ），（Ｂ）に示すように、つなぎ目となったＸコマ目で検査データが不連続となり、適切な評価ができなくなる。したがって、Ｘコマ目の前後で別々に評価しなくてはならないが、このような場合、つなぎ目が投影位置に移動してくる一定コマ数前にフォトセンサ１５から境界信号が出力されてくるので、一連に出力されてくる検査データの分別が簡単にできるようになる。そして、波形表示画面内に、境界信号が出力された時点のコマ数位置を表す識別マークを表示すれば、波形図の目視観察時もその評価を誤ることがなく、また検査データに基づく自動的な評価を行う場合でも、検査データとともに境界信号を取り込んでおくことによって、誤った統計処理が行われることを防ぐことができる。
【００３１】
パーフォレーションの検査を行って異常が検出され、あるいは異常が発生する傾向が確認された場合には、所定の評価基準にしたがって、製品の出荷停止を行ったり、また穿孔機を停止させて調整を行うなど、適宜の対応が採られることになる。
【００３２】
以上、図示した実施形態に基づいて本発明について説明してきたが、本発明ははパーフォレーションの縦ゆれ，横ゆれのいずれかのみを検出する形でも用いることができる。また、スクリーン１０に配置されるセンサユニット２０，２１の位置を調節することにより、３５ｍｍ写真フイルムなど、パーフォレーションが設けられた種々のフイルムについても本発明の適用が可能である。
【００３３】
【発明の効果】
上記のように、本発明の検査装置によれば、検査面に拡大して投影されたパーフォレーション像に基づいてフイルムパーフォレーションの異常の有無を検査するようにしているから、検査装置自体の構造を複雑化させることなく、従来装置と比較して格段に高い精度で検査を行うことができる。また、パーフォレーション像のゆれを光電検出するにあたり、複数のフォトダイオードを用いてその出力を平均あるいは加算して用いることにより、より検査の信頼性を向上させることができる。
【００３４】
さらに、パーフォレーション像の縦辺方向，横辺方向のゆれを同時に検査することもでき、パーフォレーション像の内外にそれぞれ補助光電センサを配置しておくことによって、パーフォレーション像自体の明るさや検査環境周囲の明るさに左右されずに検査を行うこともできる。また、複数本のフイルムを一連に接続した場合でも、そのつなぎ目に信号片を付加しておけば、これらのフイルムを連続走行させて効率的な検査を行うことも可能となる。
【図面の簡単な説明】
【図１】本発明に用いられる映写機の構造を示す概略図である。
【図２】本発明に用いられるスクリーン側の構造を示す概略図である。
【図３】パーフォレーション像の位置検出を行うセンサユニットの説明図である。
【図４】本発明装置の全体的な構成を示す機能ブロック図である。
【図５】本発明装置で得られる出力波形の一例を示す波形図である。
【符号の説明】
３  映画フイルム
１０  スクリーン
１２  パーフォレーション像
１５  フォトセンサ
２０，２１  センサユニット
２２，２３  光電センサ
２４，２５  補助光電センサ
３１  マイコン
【図１】
0004152058.tif 000002
【図２】
0004152058.tif 000003
【図３】
0004152058.tif 000004
【図４】
0004152058.tif 000005
【図５】
0004152058.tif 000006